(57)【特許請求の範囲】
【請求項１】
芯厚を減少させるシンニング部（３）と、ドリル正面視で前記シンニング部よりも外径側が緩やかに凹形に彎曲した切れ刃（２）を有するツイストドリルであって、
前記切れ刃（２）と、前記シンニング部（３）と、ねじれ溝（４）及びランド部（５）の先端側と、マージン（６）を備えた切削ヘッド（１０）を有し、その切削ヘッド（１０）がマージンの無いドリル本体（１）の先端に着脱自在に装着されて刃先交換式ドリルとして構成され、
ランド部（５）のドリル回転方向前方の縁に形成される前記マージン（６）が、前記ランド部（５）から直角、かつ、マージンに沿ったねじれ溝（４）の溝面と平行に立ち上がる直角マージンに形成され、そのマージンの幅（Ｗ）が０．３ｍｍ〜０．６ｍｍに設定され、
さらに、前記切削ヘッド（１０）の外周に、１００ｍｍ長さ当たりの勾配が１．０ｍｍ〜１．２ｍｍに設定されたバックテーパが付されたＦＲＰと金属の重ね板加工用ドリル。
【請求項２】
ねじれ角が０°であってドリル中心の軸線と平行な戻し面（１１）を前記切れ刃（２）の外径側すくい面に有する請求項１に記載のＦＲＰと金属の重ね板加工用ドリル。
【発明の詳細な説明】
【技術分野】
【０００１】
この発明は、ＦＲＰ（繊維強化プラスチックス）と金属の重ね板を加工するのに適したドリルに関する。
【背景技術】
【０００２】
近年、ＦＲＰ、中でもＣＦＲＰ（炭素繊維強化プラスチックス）が、飛行機の胴体や翼用の構造材として特に脚光を浴びている。このＣＦＲＰは、チタンやアルミニウムなどの金属を組み合わせて複合板材として提供されることがある。
【０００３】
その複合板材は、ＣＦＲＰの一面に金属を重ねたもの（以下では単に重ね板と言う）が用いられている。その重ね板は、例えば、飛行機の胴体や翼などを構成する場合、ボルトやリベットなどの締結材を通す穴をあける必要がある。
【０００４】
その穴あけには、標準的な刃型のソリッドドリルが利用されている。標準的な刃型とは、ねじれ溝の溝面と先端の逃げ面が交差した位置の稜線を切れ刃とし、さらに、回転中心部に、先端の芯厚を減少させるシンニング部を設けた形状を言う。
【０００５】
また、ＦＲＰの単材の穴あけには、下記特許文献１に開示されるようなドリルも提供されている。同文献のドリルは、先端角を最外径部で０°になるように回転中心部から外径部に向けて連続的に減少させ、さらに、切れ刃の逃げ角も回転中心部から最外径部に向けて連続的に減少させている。
【０００６】
下記特許文献２は、本発明が適用対象とするドリルの一形態を示している。このドリルは、刃先交換式と称されているものであって、本体部の先端に着脱自在の切削ヘッドを有しており、その切削ヘッドに切れ刃とねじれ溝の先端側が形成されている。
【先行技術文献】
【特許文献】
【０００７】
【特許文献１】特開２００８−３６７５９号公報
【特許文献２】特開２００３−１３６３１９号公報
【発明の概要】
【発明が解決しようとする課題】
【０００８】
上記標準的な刃型のソリッドドリルは、重ね板の穴あけ用途では寿命が短い。被削材がＣＦＲＰと金属の重ね板であることから、耐摩耗性向上のために採用されている硬質被膜のコートも基本的に採用しづらく、短寿命となることが避けられない。
【０００９】
また、マージンの摩耗に伴ってマージン幅が増加する構造になっている。そのために、マージンの擦り摩耗が生じやすいＣＦＲＰの加工では特に、マージンの摩耗による摩擦面積の増加が生じて摩耗が益々助長され、これによる寿命低下や摩擦熱による穴面の焦げ、金属の溶着などの問題が起こり易くなる。
【００１０】
一方、前記特許文献１のドリルは、外径側ほどスラスト荷重が低減する構造になっているのでＦＲＰ単材の穴あけには適するが、金属を重ねた複合材の場合、金属層に加工される穴の出口部に円筒状のバリが発生しやすく、要求品位を満たす穴をあけるのが難しい。
【００１１】
また、同文献は、マージンをランド部のねじれ溝に沿った両縁に設ける（いわゆるダブルマージンにする）ことを述べているが、ダブルマージンでは、被削材がＣＦＲＰと金属の重ね板であると加工穴の穴面の焦げや金属の溶着などがより起こり易くなる。
【００１２】
この発明は、上記課題の解決策として、寿命向上と高品位の穴加工を実現したＦＲＰと金属の重ね板加工用のドリルを提供することを課題としている。
【課題を解決するための手段】
【００１３】
上記の課題を解決するため、この発明においては、芯厚を減少させるシンニング部と、そのシンニング部よりもドリルの正面視で外径側が緩やかに凹形に彎曲した切れ刃を有するツイストドリルを以下の通りに構成した。即ち、前記切れ刃と、前記シンニング部と、ねじれ溝及びランド部の先端側と、マージンを備えた切削ヘッドを有し、その切削ヘッドがマージンの無いドリル本体の先端に着脱自在に装着されて刃先交換式ドリルとして構成され、
ランド部のドリル回転方向前方の縁に形成される前記マージンが前記ランド部から直角、かつ、マージンに沿ったねじれ溝の溝面と平行に立ち上がる直角マージンに形成され、そのマージンの幅を０．３ｍｍ〜０．６ｍｍに設定され、
さらに、前記切削ヘッドの外周に、１００ｍｍ長さ当たりの勾配が１．０ｍｍ〜１．２ｍｍに設定されたバックテーパが付されたものにした。
【００１４】
このドリルは、切れ刃の外径側に強化処理を施したものが好ましい。切れ刃の外径側のすくい面（ねじれ溝の溝面）に、その面のねじれ角を０°にするドリルの中心の軸線と平行な戻し面を加工してその強化処理となす。
【００１５】
この発明は、前掲の特許文献２に開示されるような刃先交換式ドリルに適用したことでその有効性が顕著に発揮される。
【発明の効果】
【００１６】
この発明のドリルは、マージンを直角マージンにしたので、マージンが摩耗してもマージン幅は変化せず、マージンの摩耗による摩擦面の増加が起こらない。また、マージンをシングルマージンとし、さらに、そのマージンの幅を標準設計よりも小さい０．３ｍｍ〜０．６ｍｍにしたので、加工時の摩擦面積が減少し、摩擦の促進に起因した寿命低下や加工穴面の焦げ、金属の溶着などが起こり難くなる。
【図面の簡単な説明】
【００１７】
【図１】参考形態のドリルの要部を示す側面図
【図２】図１のドリルの先端側の端面図
【図３】図１のドリルを同図の矢視ＩＩＩ方向に見た拡大側面図
【図４】この発明のドリルの一形態の要部を示す側面図
【図５】図４のドリルの切削ヘッドの先端側の端面図
【図６】図４のドリルを、切削ヘッドを外した状態にして示す側面図
【図７】この発明のドリルの他の形態の要部を示す側面図
【図８】図７のドリルを同図の矢視ＩＩＩ方向に見た拡大側面図
【発明を実施するための形態】
【００１８】
以下、添付図面の図１〜図８に基づいて、この発明の重ね板加工用ドリルの実施の形態を説明する。図１〜図３は、参考形態のソリッドドリルであり、この発明のドリルに採用されるマージンを備えている。このドリルは、超硬合金などを素材にしたドリル本体１の先端に中心対称形状の２枚の切れ刃２，２と、芯厚を減少させる中心対称位置に配置された２箇所のシンニング部３，３を有する。
【００１９】
また、ドリル本体１の外周に２条のねじれ溝４，４を有し、さらに、２箇所のランド部５，５のドリル回転方向前縁にそれぞれマージン６，６を有する。
【００２０】
切れ刃２は、先端中心に図には明確に現われない微小なチゼルエッジを有する。そのチゼルエッジを除いた部分は、すくい面７（ねじれ溝４の溝面）と先端の逃げ面８が交差した位置の稜線とシンニング部の面と逃げ面８が交差した位置の稜線で構成されており、シンニング部３よりも外径側がドリルの正面視で緩やかに凹形に彎曲した刃になっている。
【００２１】
その切れ刃の凹形に彎曲した部分の凹み量は、ドリル径をＤとしたとき、その径Ｄとの比で、０．０１〜０．０３Ｄ程度にしている。
【００２２】
その彎曲した切れ刃を備えるものは、切屑を軽度にカールさせる働きが生じ、切屑処理の性能が向上して被削材に加工された穴の面に対する切屑の擦過が起こり難くなる。また、切屑にカール力が加わるため応力をかけなくても切屑が処理される。
【００２３】
なお、切れ刃２は、ＣＦＲＰやＧＦＲＰの切削では、シャープエッジが好ましいことから、刃先のホーニング処理を実施する場合にも、シャープな状態が保たれるようにしている。
【００２４】
ドリルの先端角は、１２５°〜１３５°に設定しており、一般的な金属加工用のドリルの先端角（１２０°が一般的）よりも若干大きい。この範囲の先端角を選択することで、下穴があけられた重ね板を加工するときの下穴に対する喰いつきの挙動を安定させることができる。
【００２５】
ねじれ溝４は、１０°〜３０°程度のねじれ角を有する。
【００２６】
マージン６は、ランド部５から直角に立ち上がるマージンにしている。また、ランド部５から立ち上がる面をねじれ溝４の溝面と平行な面にしてマージン幅が同マージンの高さ方向（径方向）の全域において一定するようにしている。そして、さらに、そのマージンの幅Ｗ（図２参照）を０．３ｍｍ〜０．６ｍｍに設定して被削材との接触面積を減少させている。
【００２７】
先に説明したように、マージン幅Ｗを標準設計よりも小さくすることで加工時の摩擦面積を減少させており、摩擦の促進に起因した寿命低下や加工穴面の焦げ、金属の溶着などの抑制が図れる。
【００２８】
このほか、逃げ面８は、３レーキの逃げ面にして一番逃げ面の前逃げ角γ（図３参照）を１４°〜１５°程度にしており、金属に比べて弾性変形し易いＣＦＲＰの加工でも２番当りが起こり難くい。これは、ＦＲＰ加工での逃げ面の摩耗抑制に有効である。
【００２９】
図４〜図６は、この発明の刃先交換式ドリルの一形態を示している。このドリルは、切れ刃２と、シンニング部３と、ねじれ溝４及びランド部５の先端側と、マージン６をドリル本体１から独立させた切削ヘッド１０に設け、その切削ヘッド１０をドリル本体１の先端に着脱自在に取り付けている。
【００３０】
ドリル本体１にはマージン６は設けられていない。また、切削ヘッド１０の外周にはバックテーパが付されている。そのバックテーパは、１．０〜１．２ｍｍ／１００ｍｍ（１００ｍｍ長さ当りの勾配が１．０〜１．２ｍｍ）の範囲に設定している。その値は、ドリルのバックテーパとしては非常に大きく、ソリッドドリルにおいては製造面で設定不可能な数値である。
【００３１】
切削ヘッド１０のみにバックテーパを付すことで、そのような数値のバックテーパの設定を可能にしている。その大きなバックテーパは、ＣＦＲＰの加工で被削材に悪影響を及ぼす発熱の抑制効果をもたらす。
【００３２】
ドリル本体１に対する切削ヘッド１０の取り付けは、２本の締結ボルト（図示せず）を用いて行っている。切削ヘッド１０とドリル本体１は、両者の突き合わせ面に放射状のセレーション９を設け、そのセレーション９を噛み合わせることで求心効果と回り止め効果を生じさせているが、これ以外の締結構造を採用してもよい。
【００３３】
図７及び図８は、刃先強化用として、先端外周側においてすくい面に正面戻しの処理を施したものである。ねじれ溝４の先端外径側に、溝のねじれを戻して溝面（すくい面）の一部をドリルの軸心と平行にする戻し面１１を形成しており、この戻し面１１の設置によって、切れ刃２の外径側が強化されている。
【００３４】
この発明のドリルは、一番逃げ面の前逃げ角γを大きく設定していることもあって切れ刃がシャープになっている。そのシャープな切れ刃は、被削材がこの発明で言う重ね板であってその板の穴あけ箇所に予め下穴が形成されている場合、金属層に喰いつくときの負荷変動によって切れ刃が欠損し易い。
【００３５】
上記戻し面１１の設置は、その欠損対策として有効である。切れ刃の強化は、ネガランドの加工やホーニング処理でも行えるが、これ等の方法では、切れ味が鈍ってＣＦＲＰの穴出口部において層間剥離（デラミネーション。ＣＦＲＰの剥離やＣＦＲＰと金属の剥離）が発生しやすくなる。これ等の方法に比べて戻し面１１による強化は刃先の鈍化を抑えやすく、エッジのシャープさの保持と刃先の強度アップの両立が図れる。なお、戻し面１１の設置による刃先強化策は、ソリッドドリルにも適用できる。
【００３６】
刃先交換式ドリルは、ソリッドドリルに比べて刃先再生のための再研磨回数が少ない反面、切削ヘッドのみの交換によって傷んだ切れ刃を簡単に、短時間に再生できる利点がある。
【００３７】
また、この刃先交換式ドリルは、切削ヘッドに大きなバックテーパを付すことが可能であり、さらに、マージンも切削ヘッドのみに形成することができるため、被削材との摩擦を低減が図れ、加工穴の品位を高めやすい。
【００３８】
さらに、ソリッドドリルに比べて工具素材費のロスが少なくて経済性に優れることや、ドリル本体を加工機やハンドドリルに装着した切削ヘッドの交換作業を進めることができて穴加工の能率向上に寄与できる。
【００３９】
この発明は、刃先交換式ドリルに適用したことで上述した効果を期待できる。また、切れ刃の摩耗、発熱による穴面の焦げや金属の溶着の問題は、ＣＦＲＰの重ね板において特に顕著であるが、被削材に含まれるＦＲＰが、ＧＦＲＰ（ガラス繊維強化プラスチックス）などである場合にも発生するので、この発明は、ＧＦＲＰの重ね板の加工でも有効性が発揮される。
【００４０】
なお、この発明のドリルは、刃型が被削材に対してある程度スラスト荷重が加わるものになっている。それが、むしろ良いほうに作用して金属に加工される穴の出口に円筒状のバリができ難い。
【００４１】
また、ＦＲＰ単材の穴あけでは、スラスト荷重のかかる工具は、加工中に層間剥離（デラミネーション）などを発生させやすいことから好ましくないとされているが、金属を重ねた複合材の場合、金属層を下にして加工することでスラスト荷重を金属層によって受け止めることができるため、スラスト荷重がさほど小さくならない刃型でも要求品位を満たす穴をあけることができる。
【符号の説明】
【００４２】
１          ドリル本体
２          切れ刃
３          シンニング部
４          ねじれ溝
５          ランド部
６          マージン
７          すくい面
８          逃げ面
９          セレーション
１０        切削ヘッド
１１        戻し面
【図１】
0005846683.tif 000002
【図２】
0005846683.tif 000003
【図３】
0005846683.tif 000004
【図４】
0005846683.tif 000005
【図５】
0005846683.tif 000006
【図６】
0005846683.tif 000007
【図７】
0005846683.tif 000008
【図８】
0005846683.tif 000009